(57)【要約】【課題】暗証コードの登録とロック設定の操作を簡略化する。【解決手段】照度センサと、記憶部と、前記照度センサの出力値が明状態を示す値から暗状態を示す値に変化した状況を示す明暗情報に応じて暗証コードを発生し、当該暗証コードを登録暗証コードとして前記記憶部に記憶させセキュリティロックの状態に設定する制御部と、を含む携帯端末とした。【選択図】      図１
2010010750.tif 000002
【特許請求の範囲】
【請求項１】
照度センサと、
記憶部と、
前記照度センサの出力値が明状態を示す値から暗状態を示す値に変化した状況を示す明暗情報に応じて暗証コードを発生し、当該暗証コードを登録暗証コードとして前記記憶部に記憶させセキュリティロックの状態に設定する制御部と、
を含む携帯端末。
【請求項２】
前記制御部は、前記照度センサの出力値が明状態を示す値から暗状態を示す値に変化した回数を前記明暗情報としてカウントし、当該カウント値を登録暗証コードとして前記記憶部に記憶させる、
ことを特徴とする請求項１に記載の携帯端末。
【請求項３】
前記制御部は、前記照度センサの出力値が明状態を示す値から暗状態を示す値に変化した回数と暗状態の継続時間を前記明暗情報としてカウントし、前記回数と前記継続時間の値に基づいた暗証コードを発生し、当該暗証コードを登録暗証コードとして前記記憶部に記憶させる、
ことを特徴とする請求項１に記載の携帯端末。
【請求項４】
前記制御部は、前記照度センサの出力値が暗状態を示す値から明状態を示す値に変化した場合、暗状態の継続時間と明状態の継続時間を前記明暗情報としてカウントし、前記暗状態の継続時間と前記明状態の継続時間の大小比較を行い、前記大小比較の結果に基づいた暗証コードを発生し、当該暗証コードを登録暗証コードとして前記記憶部に記憶させる、
ことを特徴とする請求項１に記載の携帯端末。
【請求項５】
前記制御部は、さらに、前記照度センサから前記登録暗証コードに対応する前記明暗情報が入力された場合に、前記セキュリティロックの状態を解除する、
ことを特徴とする請求項１乃至４のいずれかに記載の携帯端末。
【請求項６】
前記制御部は、さらに、前記照度センサから前記登録暗証コードに対応する前記明暗情報と異なる明暗情報が入力された場合に、前記携帯端末が備えるキー操作部から暗証コードを入力可能とし、前記キー操作部から入力された前記暗証コードが正しい暗証コードである場合、前記セキュリティロックの状態を解除する、
ことを特徴とする請求項５に記載の携帯端末。
【請求項７】
前記制御部は、またさらに、前記携帯端末がセキュリティロックの状態に設定された場合は、前記携帯端末が備える表示部にロック用のアイコンを表示し、前記携帯端末のセキュリティロックの状態が解除された場合は、前記表示部に表示されているロック用のアイコンを消去する、
ことを特徴とする請求項５或いは請求項６の何れかに記載の携帯端末。
【請求項８】
携帯端末における照度センサの出力値が明状態を示す値から暗状態を示す値に変化した状況を示す明暗情報に応じて暗証コードを発生し、当該暗証コードを登録暗証コードとして記憶部に記憶させセキュリティロックの状態に設定する、
セキュリティロック制御方法。
【請求項９】
前記携帯端末は、前記照度センサの出力値が明状態を示す値から暗状態を示す値に変化した回数を前記明暗情報としてカウントし、当該カウント値を登録暗証コードとして前記記憶部に記憶させる、
ことを特徴とする請求項８に記載のセキュリティロック制御方法。
【請求項１０】
前記携帯端末は、前記照度センサの出力値が明状態を示す値から暗状態を示す値に変化した回数と暗状態の継続時間を前記明暗情報としてカウントし、前記回数と前記継続時間の値に基づいた暗証コードを発生し、当該暗証コードを登録暗証コードとして前記記憶部に記憶させる、
ことを特徴とする請求項８に記載のセキュリティロック制御方法。
【請求項１１】
前記携帯端末は、前記照度センサの出力値が暗状態を示す値から明状態を示す値に変化した場合、暗状態の継続時間と明状態の継続時間を前記明暗情報としてカウントし、前記暗状態の継続時間と前記明状態の継続時間の大小比較を行い、前記大小比較の結果に基づいた暗証コードを発生し、当該暗証コードを登録暗証コードとして前記記憶部に記憶させる、
ことを特徴とする請求項８に記載のセキュリティロック制御方法。
【請求項１２】
前記携帯端末は、さらに、前記照度センサから前記登録暗証コードに対応する前記明暗情報が入力された場合に、前記セキュリティロックの状態を解除する、
ことを特徴とする請求項８乃至１１のいずれかに記載のセキュリティロック制御方法。
【請求項１３】
前記携帯端末は、さらに、前記照度センサから前記登録暗証コードに対応する前記明暗情報と異なる明暗情報が入力された場合に、前記携帯端末が備えるキー操作部から暗証コードを入力可能とし、前記キー操作部から入力された前記暗証コードが正しい暗証コードである場合、前記セキュリティロックの状態を解除する、
ことを特徴とする請求項１２に記載のセキュリティロック制御方法。
【請求項１４】
前記携帯端末がセキュリティロックの状態に設定された場合は、前記携帯端末が備える表示部にロック用のアイコンを表示し、前記携帯端末のセキュリティロックの状態が解除された場合は、前記表示部に表示されているロック用のアイコンを消去する、
ことを特徴とする請求項１２或いは請求項１３の何れかに記載のセキュリティロック制御方法。
【発明の詳細な説明】
【技術分野】
【０００１】
本発明は、携帯端末およびセキュリティロック制御方法に関し、特に、照度センサを用いて暗証コードの登録とロック設定を行うことを可能とする、携帯端末およびセキュリティロック制御方法に関する。
【背景技術】
【０００２】
近年、携帯電話やＰＨＳ（Ｐｅｒｓｏｎａｌ  Ｈａｎｄｙｐｈｏｎｅ  Ｓｙｓｔｅｍ：パーソナルハンディフォンシステム）端末、或いは、ＰＤＡ（Ｐｅｒｓｏｎａｌ  Ｄｉｇｉｔａｌ  Ａｓｓｉｓｔａｎｔｓ：携帯情報端末）などの、所謂、携帯端末においては、ますます高機能化が進んできている。このような高機能化に伴い、携帯端末の内部には、電話帳や電話の発着信履歴などだけでなく、住所録、電子メール、写真などの画像データ、音楽データ、或いは、電子マネー等々の、様々な個人情報が保存されるようになってきている。
【０００３】
これらの個人情報は、他人から閲覧されたり視聴されたり、或いは、利用されたりしたくない情報であるため、携帯端末には、個人情報の保護のためのセキュリティ（Ｓｅｃｕｒｉｔｙ：保護、安全確保）機能が搭載されるようになってきている。
【０００４】
そして、携帯端末においてセキュリティ機能を使用するためには、通常、暗証コード（暗証番号）を用いて携帯端末をロック（制限）し、ロック解除のためにも暗証コードを用いるようになっている（例えば、特許文献１参照。）。
【０００５】
上述した特許文献１「電子機器、該電子機器に用いられる暗証コード設定方法及び暗証コード設定制御プログラム」には、以下の記載がなされている。
【０００６】
すなわち、電子機器（携帯電話機、ＰＤＡ、パソコン、など）は、表示操作部を備えており、表示操作部は複数の数字キーを有している。そして、この電子機器では、表示操作部の各数字キーに対応する数字と、当該数字キーの押下時間との組合せをコード化したものを、登録用暗証コード及び認証用暗証コードとして設定するようにしている。このように構成された電子機器は、表示操作部により入力された認証用暗証コードと、電子機器内に記憶されている登録用暗証コードとの一致／不一致を判定する。そして、両暗証コードが一致したときに、電子機器の動作のロックを解除して、当該電子機器の機能に対応した所定の動作を行う。このことにより、第三者による不正な操作を防止でき、電子機器に記憶されている個人情報のセキュリティを向上させることができる、としている。
【０００７】
また、特定の操作ボタン及び操作ボタンの押下時間の組合せパターンを用いることにより、情報端末装置のセキュリティを、他人が不正に解除することを防止するようにしているものもある（例えば、特許文献２参照。）。
【０００８】
上述した特許文献２「情報端末装置」には、以下の記載がなされている。
【０００９】
すなわち、情報端末装置の操作ボタンの長い押下時間と短い押下時間とを組み合わせた任意の組合せパターンを、予め、情報端末装置に登録しておく。そして、情報端末装置で、この組合せパターンどおりに操作ボタンを操作することにより、情報端末装置のセキュリティロックを解除するようになっている。このことにより、第三者による不正な操作を防止することができる、としている。
【００１０】
さらに、携帯装置のキーのロックとその解除を、フォトセンサによって自動化しようとしているものもある（例えば、特許文献３参照。）。
【００１１】
上述した特許文献３「携帯装置操作部の制御方法とその回路」には、以下の記載がなされている。
【００１２】
すなわち、携帯装置のフォトセンサの出力電圧が、基準電圧（Ｖ）より大きいとき、キーロック解除機構が作動して、携帯装置のキーのロックが自動的に解除される。このことにより、ポケット内などの暗いところから、ポケットの外の明るいところへ携帯装置を取り出したときに、自動的にキーロックが解除されるため、操作性が向上する、としている。
【００１３】
【特許文献１】特開２００８−０５２４１６号公報（第５−７頁、図１−３）
【特許文献２】特開２００５−１９０３３５号公報（第４−６頁、図１−１０）
【特許文献３】特開平０９−１０７３２４号公報（第３頁、図１−２）
【発明の開示】
【発明が解決しようとする課題】
【００１４】
上述した特許文献１に記載の電子機器においては、表示操作部の数字キーを操作することにより、暗証コードを入力できるようになっている。しかしながら、数字キーの数字と当該キーの押下時間との組合せをコード化して暗証コードとしているため、暗証コードの入力に手間がかかると共に、煩わしい操作を行うことが必要となる、という課題を有している。
【００１５】
また、特許文献２の情報端末装置においても、操作ボタンの押下と押下時間の組合せパターンを入力する必要があるため、入力に手間がかかると共に煩わしいボタン操作を行うことが必要となる、という課題を有している。
【００１６】
特許文献３の携帯装置においては、フォトセンサによってキーのロックとその解除が自動化されるため、煩わしい操作は必要としない。しかしながら、特許文献３の携帯装置においては、明るいところへ携帯装置を取り出したときにキーロックを解除するので、他人による不正使用を防止できないという課題を有している。
【００１７】
本発明は、上述した課題を解決するためになされたものである。従って、本発明の目的は、暗証コードの登録とセキュリティロックの状態に設定する操作を簡略化することを可能とする、携帯端末およびセキュリティロック制御方法を提供することにある。
【課題を解決するための手段】
【００１８】
本発明の携帯端末は、照度センサと、記憶部と、制御部とを含んでいる。そして、前記制御部は、前記照度センサの出力値が明状態を示す値から暗状態を示す値に変化した状況を示す明暗情報に応じて暗証コードを発生し、当該暗証コードを登録暗証コードとして前記記憶部に記憶させセキュリティロックの状態に設定するよう動作する。
【００１９】
また、本発明のセキュリティロック制御方法は、携帯端末における照度センサの出力値が明状態を示す値から暗状態を示す値に変化した状況を示す明暗情報に応じて暗証コードを発生し、当該暗証コードを登録暗証コードとして記憶部に記憶させセキュリティロックの状態に設定する。
【発明の効果】
【００２０】
本発明によれば、携帯端末に暗証コードを登録しセキュリティロックの状態に設定するための操作を、簡略化することが可能となる。
【発明を実施するための最良の形態】
【００２１】
次に、本発明の実施形態について図面を参照して説明する。
［第１の実施形態］
図１は、本発明の携帯端末の第１の実施形態を示すブロック図である。
【００２２】
図１に示す携帯端末１は、照度センサ２と、記憶部３と、制御部４と、を含んでいる。
【００２３】
携帯端末１は、携帯電話やＰＨＳ（Ｐｅｒｓｏｎａｌ  Ｈａｎｄｙｐｈｏｎｅ  Ｓｙｓｔｅｍ：パーソナルハンディフォンシステム）端末、或いは、ＰＤＡ（Ｐｅｒｓｏｎａｌ  Ｄｉｇｉｔａｌ  Ａｓｓｉｓｔａｎｔｓ：携帯情報端末）などの携帯可能な端末装置である。
【００２４】
照度センサ２は、白熱電球や蛍光灯・太陽光といった各種光源の明るさを検出する光センサである。照度センサ２の種類としては、フォトトランジスタを使用するものや、フォトダイオードを使用するものなど、いくつかの種類があるが、本実施形態における照度センサ２は、どのような種類のものを使用するようにしてもよい。
【００２５】
記憶部３は、携帯端末１が有する各種機能を実現するソフトウェアや、各機能の設定データなどを記憶する。また、記憶部３は、各機能が生成し、また、各機能が使用する各種情報を記憶する。各機能が生成し使用する情報の一例としては、電話帳や電話の発着信履歴データ、住所録、電子メール、写真などの画像データ、音楽データ、或いは、電子マネー等々の、所謂、個人情報を挙げることができる。
【００２６】
制御部４は、携帯端末１全体の動作制御を行い、携帯端末１の有する各種機能を実行させると共に、各機能の実行により生成或いは使用される各種の情報を記憶部３に記憶し、或いは、記憶部３から読み出して使用する。
【００２７】
特に、制御部４は、照度センサ２の出力値が、明状態を示す値から暗状態を示す値に変化した状況を示す明暗情報に応じて暗証コードを発生し、当該暗証コードを登録暗証コードとして記憶部３に記憶させ、セキュリティロックの状態に設定する。
【００２８】
このように、本実施形態の携帯端末１は、照度センサ２の出力値が、明状態を示す値から暗状態を示す値に変化した状況を示す明暗情報に応じて暗証コードを発生する。そして、当該暗証コードを登録暗証コードとして記憶部３に記憶し、さらに、セキュリティロックの状態に設定するよう動作する。
【００２９】
ここで、セキュリティロックとは、第三者による不正使用を防止するために、図示しない操作ボタン、操作キー、操作入力手段等の操作を無効にすることであり、これは、制御部４によって制御される。あるいは、セキュリティロックとは、メールや電話の着信は可能であるが、メール送信や電話の発信ができない状態にすることであってもよい。
【００３０】
従って、本実施形態によれば、暗証コードの登録とセキュリティロックの状態に設定する操作を簡略化することが可能となる。
［第２の実施形態］
次に、図１に示した第１の実施形態をさらに具体化した本発明による第２の実施形態について説明する。
【００３１】
図２は、本発明の第２の実施形態の携帯端末の外観図である。
【００３２】
図２に示す携帯端末１０は、上部筐体１１と下部筐体１２を有し、上部筐体１１は正面ＬＣＤ（Ｌｉｑｕｉｄ  Ｃｒｙｓｔａｌ  Ｄｉｓｐｌａｙ：液晶ディスプレイ）５０と、音声通話の際に音声を出力するレシーバ８１を含んでいる。下部筐体１２は、携帯端末１０の操作パネル面となっており、キー操作部６０と、音声通話の際に音声を入力するマイク８０を含んでいる。また、下部筐体１２には、白熱電球や蛍光灯・太陽光といった各種光源の明るさを検出する照度センサ２０が実装されている。
【００３３】
上部筐体１１と下部筐体１２は図示しないヒンジなどで相互に接続されており、ヒンジなどを介して相互に折り畳み可能な構造となっている。なお、上部筐体１１と下部筐体１２は、一体型の共通の筐体に含ませるよう構成するものであってもよい。但し、以降の説明においては、上部筐体１１と下部筐体１２は相互に折り畳み可能な構造となっているものとして説明を行うものとする。
【００３４】
正面ＬＣＤ５０は、携帯端末１０を取り扱う上で必要となる文字、記号、画像などの情報を表示する。
【００３５】
キー操作部６０は、携帯端末１０の各種機能を実行するために必要となるキーを含んでおり、例えば、電源キー、メニュー表示キー、機能選択キー、十字キー、テンキーや、その他、＊キー、＃キー、などを含んでいる。
【００３６】
照度センサ２０は、周囲の明るさを検出し、正面ＬＣＤ５０やキー操作部６０のバックライトの輝度の調整を行うために用いられると共に、本願発明に特有な用途として、セキュリティロックの設定及びセキュリティロックの解除のための暗証コードの入力を行うためにも用いられる。
【００３７】
次に、図３を参照して、本実施形態の携帯端末１０の構成について説明する。
【００３８】
図３は、本発明の携帯端末の第２の実施形態を示すブロック図である。なお、図３において図２に示す構成要素に対応するものは同一の参照数字または符号を付し、その説明を極力省略するものとする。
【００３９】
図３に示す携帯端末１０は、図１の第１の実施形態で示した携帯端末１と同様の、照度センサ２０、記憶部３０、制御部４０を含んでいる。
【００４０】
また、携帯端末１０は、制御部４０の制御の元で動作する正面ＬＣＤ５０、正面ＬＣＤバックライト５１、キー操作部６０、キーバックライト６１、無線部７０、マイク８０、レシーバ８１、スピーカ８２、カウンタ部９０、タイマー部９１を含んでいる。
【００４１】
照度センサ２０は、携帯端末１０の周囲の明るさを検出し、検出した明るさを制御部４０に通知する。
【００４２】
記憶部３０は、携帯端末１０が有する各種機能を実現するソフトウェアや、各機能の設定データ、或いは、各機能が生成し、また、各機能が使用する各種情報（第１の実施形態で説明した個人情報も含めた情報）を記憶する。さらに、記憶部３０は、本願発明に特有の、セキュリティロックの設定及びセキュリティロックの解除のための暗証コードも記憶するようになっている。記憶部３０の内、暗証コードを記憶する記憶部分は、書き換え可能で、かつ、電源を切っても記憶データが消えない不揮発性メモリであるところのフラッシュメモリ（ｆｌａｓｈ  ｍｅｍｏｒｙ）で構成されている。
【００４３】
制御部４０は、携帯端末１０全体の動作制御を行い、携帯端末１０の有する各種機能を実行させると共に、各機能の実行により生成或いは使用される各種の情報を記憶部３０に記憶し、或いは、記憶部３０から読み出して使用する。
【００４４】
特に、制御部４０は、照度センサ２０の出力値（明暗情報）からセキュリティロックの設定及びセキュリティロックの解除のための暗証コードを生成するようになっている。
【００４５】
正面ＬＣＤ５０は、携帯端末１０を取り扱う上で必要となる文字、記号、画像などの情報を表示する。
【００４６】
正面ＬＣＤバックライト５１は、正面ＬＣＤ５０を見やすくするために、制御部４０が照度センサ２０の出力値に応じて演算した輝度で点灯するよう動作する。例えば、周囲が明るければ正面ＬＣＤバックライト５１は最大輝度に上がり、夜間の屋外など光量が少なくなれば正面ＬＣＤバックライト５１は減光する。
【００４７】
キー操作部６０は、携帯端末１０の各種機能を実行するために必要となる複数のキーを含んでいる。
【００４８】
キーバックライト６１は、キー操作部６０を見やすくするために、制御部４０が照度センサ２０の出力値に応じて演算した輝度で点灯するよう動作する。例えば、周囲が明るければキーバックライト６１は消灯し、夜間の屋外など光量が少なくなればキーバックライト６１は点灯する。
【００４９】
無線部７０は、携帯端末１０での通話時、或いは、インターネット接続時などにおいて、移動体通信網の基地局との間で無線通信を行う。
【００５０】
マイク８０は、携帯端末１０での通話時に音声入力を行う。レシーバ８１は、携帯端末１０での通話時に音声を出力する。スピーカ８２は、携帯端末１０への着信があった場合、着信を報知する。
【００５１】
カウンタ部９０は、携帯端末１０への暗証コードの入力時に、照度センサ２０の状態変化の回数を明暗情報としてカウントする。なお、照度センサ２０の状態変化とは、照度センサ２０が明状態（明るいと検知している状態）から暗状態（暗いと検知している状態）に移行した、或いは、暗状態から明状態へ移行した、というように明るさの検知の状態が変化した場合を示すものとする。
【００５２】
タイマー部９１は、携帯端末１０への暗証コードの入力時に、照度センサ２０の状態変化を検出してからの経過時間を計測する。
【００５３】
次に、図４を参照して、携帯端末１０の照度センサ２０を利用した暗証コードの入力動作の概要について説明する。
【００５４】
図４は、第２の実施形態における暗証コードの入力動作の概要を示す図である。
【００５５】
先ず、携帯端末１０の上部筐体１１と下部筐体１２は開状態となっており、従って、下部筐体１２に実装されている照度センサ２０は、携帯端末１０の周囲の明るさを検出可能な状態になっているものとする。
【００５６】
そして、照度センサ２０上を覆うものが無く、照度センサ２０が周囲の明るさを検出し、照度センサ２０の検知する照度が大きく、照度センサ２０の出力値が大きい場合を「明状態」と称するものとする。また、照度センサ２０がユーザの指等で覆われ、照度センサ２０の検知する照度が小さく、照度センサ２０の出力値が小さい場合を「暗状態」と称するものとする。
【００５７】
図４の時間ｔ０においては、照度センサ２０上を覆うものが無く、照度センサ２０は明状態となっている。ここで、カウンタ部９０のカウンタ値は、初期値「０」となっている。
【００５８】
図４の時間ｔ１において、照度センサ２０がユーザの指等で覆われ、照度センサ２０は暗状態に変化している。すなわち、時間ｔ１において、照度センサ２０の出力値が明状態から暗状態に変化している。照度センサ２０の明状態から暗状態への変化は、最初の一回目であるため、カウンタ部９０のカウンタ値を１カウントアップし、カウンタ値が「１」となる。
【００５９】
次に、時間ｔ２において、照度センサ２０上のユーザの指等が離され、照度センサ２０は周囲の明るさを再び検出するようになり、明状態へと復帰している。
【００６０】
また、次の時間ｔ３においては、照度センサ２０が再びユーザの指等で覆われ、照度センサ２０が再び暗状態に変化している。時間ｔ３における照度センサ２０の明状態から暗状態への変化は２回目であるため、カウンタ値は再びカウントアップされ、カウンタ値が「２」となる。
【００６１】
以下同様にして、時間ｔ５においてはカウンタ値が「３」となり、時間ｔ７においてはカウンタ値が「４」となっている。
【００６２】
さらに、時間ｔ９においてカウンタ値が「５」となっている。
【００６３】
次の時間ｔ１０において、照度センサ２０が明状態に復帰した後、明状態が予め定めておいた一定の時間「Ｔ秒」の間、継続した状態となっている。時間ｔ１１に示しているように、照度センサ２０の明状態がＴ秒間継続した場合、携帯端末１０の制御部４０は、暗証コードの入力動作が終了したものと判断する。そして、制御部４０は、その時点におけるカウンタ値（すなわち、「５」）を、暗証コードとして決定する。
【００６４】
以上の動作により、携帯端末１０への暗証コードが入力されるようになる。
【００６５】
なお、上述した、暗証コードの入力動作の終了を判断するための時間「Ｔ秒」は、いかなる値を定めていてもよいが、暗証コードの入力動作の終了判断の値としては、「３秒」程度が適切な値である、と考えられる。
【００６６】
次に、図５〜図８を参照して、本実施形態の携帯端末１０の動作について説明する。
【００６７】
図５は、本発明の携帯端末の第２の実施形態の動作を示す第１のフローチャートである。
【００６８】
図５においては、携帯端末１０に対して暗証コードを入力して、これを登録暗証コードとして記憶部３０に記憶させ、その後、携帯端末１０のセキュリティロックを設定するまでの動作を説明する。
【００６９】
先ず、携帯端末１０には電源が投入されており、携帯端末１０は動作状態となっている。そして、暗証コードの入力のための機能が起動した状態となっているものとする。暗証コードの入力のための機能を起動する方法は、どのような方法であってもよい。例えば、携帯端末１０の照度センサ２０の上を、ユーザの指で押さえて離す動作を素早く３回行うことにより、携帯端末１０の制御部４０がこれを検知して、暗証コードの入力のための機能を起動させるようにしてもよい。
【００７０】
携帯端末１０の暗証コードの入力のための機能が起動すると、携帯端末１０の制御部４０は、カウンタ部９０のカウンタ値を初期化する（図５のステップＳ１）。すなわち、カウンタ値を「０」とする。
【００７１】
そして、制御部４０は、照度センサ２０が暗状態を検出したかを判定する（ステップＳ２）。なお、照度センサ２０が暗状態を検出するとは、照度センサ２０上をユーザが指等で覆うことにより、照度センサ２０の検知する照度が小さくなった状態を指すものとする。
【００７２】
照度センサ２０が暗状態を検出しない場合（ステップＳ２でＮｏ）、制御部４０はステップＳ２の判定動作を繰り返す。
【００７３】
照度センサ２０が暗状態を検出した場合（ステップＳ２でＹｅｓ）、制御部４０は、次に、照度センサ２０が明状態を検出したかを判定する（ステップＳ３）。なお、照度センサ２０が明状態を検出するとは、照度センサ２０上を覆っていたユーザの指等が離れ、照度センサ２０が周囲の明るさを検知して、照度センサ２０の検知する照度が大きくなった状態を指すものとする。
【００７４】
照度センサ２０が明状態を検出しない場合（ステップＳ３でＮｏ）、制御部４０はステップＳ３の判定動作を繰り返す。
【００７５】
照度センサ２０が明状態を検出した場合（ステップＳ３でＹｅｓ）、制御部４０は、カウンタ部９０のカウンタ値を「１」カウントアップする。そして、制御部４０は、タイマー部９１のタイマーを起動する（ステップＳ４）。なお、ここで起動するタイマーは、暗証コードの入力の終了時点を判定するために用いられるものである。
【００７６】
次に、制御部４０は、照度センサ２０が再び暗状態を検出したかを判定する（ステップＳ５）。
【００７７】
照度センサ２０が暗状態を検出した場合（ステップＳ５でＹｅｓ）、制御部４０は、タイマー部９１のタイマーを停止し（ステップＳ６）、ステップＳ３に戻る。ステップＳ６でタイマーを停止するのは、未だ、暗証コードの入力が終了していないからである。
【００７８】
照度センサ２０が暗状態を検出しない場合（ステップＳ５でＮｏ）、制御部４０は、ステップＳ４で起動したタイマーの値が、一定時間（Ｔ秒とする）経過したことを示しているかを判定する（ステップＳ７）。
【００７９】
一定時間（Ｔ秒）経過していない場合（ステップＳ７でＮｏ）、制御部４０は、ステップＳ５に戻り、照度センサ２０が暗状態を検出したかの判定を繰り返す。
【００８０】
一定時間（Ｔ秒）が経過している場合（ステップＳ７でＹｅｓ）、制御部４０は、暗証コードの入力が終了したものと判断する。そして、制御部４０は、その時点におけるカウンタ部９０のカウンタ値を暗証コードとし、この暗証コードを登録暗証コードとして、記憶部３０に記憶させる（ステップＳ８）。
【００８１】
以上の動作により、携帯端末１０は、照度センサ２０から入力される明暗情報に対応して暗証コードを発生し、発生した暗証コードが登録暗証コードとして記憶部３０に記憶される。
【００８２】
次に、携帯端末１０の制御部４０は、携帯端末１０をセキュリティロックの状態に設定する（ステップＳ９）。また、ステップＳ９においては、さらに、制御部４０は、正面ＬＣＤ５０にロック用のアイコンを表示させるようにしてもよい。ロック用のアイコン表示により、携帯端末１０がセキュリティロックの状態に設定されていることを、ユーザに容易に認識させることが可能となる。
【００８３】
なお、携帯端末１０がセキュリティロックの状態に設定された場合、携帯端末１０は、携帯端末１０で予め定めておいたロック状態となる。ロック状態の一例として、携帯端末１０では、電話着信及びメール受信の機能だけが動作可能であり、他の全ての機能の動作、例えば、電話発信、メール送信、携帯端末１０が有する個人情報の閲覧、などの動作は、不可能な状態となる。また、ロック状態の他の例として、携帯端末１０では、キー操作部６０のキー入力をロックする、所謂、ダイヤルロック機能を動作させた状態としてもよい。
【００８４】
次に、図６を参照して、携帯端末１０のセキュリティロックを解除する際の動作について説明する。
【００８５】
図６は、本発明の携帯端末の第２の実施形態の動作を示す第２のフローチャートである。
【００８６】
先ず、携帯端末１０には電源が投入されており、携帯端末１０は動作しているが、セキュリティロックの状態に設定されているものとする。
【００８７】
そして、携帯端末１０では暗証コードの入力のための機能が起動した状態となっているものとする。
【００８８】
携帯端末１０の暗証コードの入力のための機能が起動すると、携帯端末１０の制御部４０は、暗証コードを入力させるための動作を行う（図６のステップＳ１〜ステップＳ７）。なお、図６における、暗証コードを入力させるための動作は、図５で説明したステップＳ１〜ステップＳ７迄の動作と同一である。従って、図６において図５に示した構成要素に対応するものは同一の参照数字または符号を付し、これ以上の説明は省略するものとする。
【００８９】
図６のステップＳ７で、一定時間（Ｔ秒）が経過していると判断した場合（ステップＳ７でＹｅｓ）、携帯端末１０の制御部４０は、暗証コードの入力が終了したものと判断する。そして、制御部４０は、その時点におけるカウンタ部９０のカウンタ値を暗証コードとし、この暗証コードを認証用暗証コードとする（図６のステップＳ１１）。
【００９０】
そして、制御部４０は、ステップＳ１１で得た認証用暗証コードと、記憶部３０内に既に記憶されている登録認証コードとが一致するかを判定する（ステップＳ１２）。
【００９１】
認証用暗証コードが登録認証コードと一致した場合（ステップＳ１２でＹｅｓ）、制御部４０は、携帯端末１０で設定されているセキュリティロックの状態を解除する（ステップＳ１３）。また、携帯端末１０の正面ＬＣＤ５０にロック用のアイコンを表示している場合には、ステップＳ１３においては、さらに、制御部４０は、表示しているロック用のアイコンを消去する。
【００９２】
認証用暗証コードが登録認証コードと一致しない場合（ステップＳ１２でＮｏ）、制御部４０は、何も行わずに処理を終了する。すなわち、携帯端末１０のセキュリティロック状態を解除しない。
【００９３】
以上、図６を参照して説明したように、認証用暗証コードが登録認証コードと一致しない場合（図６のステップＳ１２でＮｏ）、携帯端末１０の制御部４０は、何も動作せずに処理を終了するようにしている。
【００９４】
しかしながら、携帯端末１０の周囲が暗く、照度センサ２０が検出する明状態と暗状態の差が出にくい場合には、照度センサ２０による暗証コードの入力に失敗する可能性が高くなる。このような状況に対応するために、照度センサ２０による暗証コードの入力が成功しなかった場合には、例えば、キー操作部６０のキーから暗証コードの入力が可能となるように、携帯端末１０の制御部４０の機能を変更してもよい。
【００９５】
以下、図７、図８を参照して、キー操作部６０のキーから暗証コードを入力させる場合の制御部４０の動作について説明する。
【００９６】
図７は、本発明の携帯端末の第２の実施形態の動作を示す第３のフローチャートである。
【００９７】
図７は、図６に示したフローチャートに、ステップＳ１２でＮｏの場合に「キー操作による暗証コード入力に切り替えて、セキュリティロック状態の解除動作を行う（図７のステップＳ１４）」動作だけを追加したものである。従って、図７において図６に示す構成要素に対応するものは同一の参照数字または符号を付し、図７に関するこれ以上の説明は省略するものとする。
【００９８】
次に、図８を参照して、図７のステップＳ１４の動作について説明する。
【００９９】
図８は、本発明の携帯端末の第２の実施形態の動作を示す第４のフローチャートである。
【０１００】
携帯端末１０の制御部４０は、先ず、正面ＬＣＤ５０に、暗証コードの入力用画面を表示する（図８のステップＳ１４−１）。
【０１０１】
そして、正面ＬＣＤ５０の入力用画面に、キー操作部６０のキーを用いて暗証コードが入力された場合、制御部４０は、入力された暗証コードを認証用暗証コードとする（ステップＳ１４−２）。
【０１０２】
次に、制御部４０は、ステップＳ１４−２で得た認証用暗証コードと、予め記憶部３０内に記憶されているキー操作用登録暗証コードとが一致するかを判定する（ステップＳ１４−３）。ここで用いる「キー操作用登録暗証コード」は、キー操作によって暗証コードを入力した場合に、当該暗証コードが正規の暗証コードであることを確認するための暗証コードであり、予め、携帯端末１０の記憶部３０内に登録されているものとする。なお、この「キー操作用登録暗証コード」は、図５で説明した登録暗証コード、つまり、照度センサ２０の出力値の変化した状況に応じて算出した暗証コード、と、同一であってもよいし、異なるものであってもよい。
【０１０３】
認証用暗証コードがキー操作用登録暗証コードと一致した場合（ステップＳ１４−３でＹｅｓ）、制御部４０は、携帯端末１０で設定されているセキュリティロックの状態を解除する（ステップＳ１４−４）。また、携帯端末１０の正面ＬＣＤ５０にロック用のアイコンを表示している場合には、ステップＳ１４−４においては、さらに、制御部４０は、表示しているロック用のアイコンを消去する。
【０１０４】
認証用暗証コードがキー操作用登録暗証コードと一致しない場合（ステップＳ１４−３でＮｏ）、制御部４０は、なにも行わずに処理を終了する。すなわち、携帯端末１０のセキュリティロック状態を解除しない。
【０１０５】
なお、本実施形態において、携帯端末１０をセキュリティロックの状態に設定する時点は、次に示す時点となっている。すなわち、図５を参照して説明したように、照度センサ２０を利用した暗証コードの入力が終了し、この暗証コードを登録暗証コードとして記憶部３０に記憶させる（図５のステップＳ８）。そして、その後すぐに、携帯端末１０をセキュリティロックの状態に設定する（図５のステップＳ９）、ようになっている。
【０１０６】
上述した、携帯端末１０をセキュリティロックの状態に設定する時点を、携帯端末１０のユーザの利便性を向上させるために、以下で説明する時点に変えるようにしてもよい。
【０１０７】
すなわち、携帯端末１０に入力された暗証コードを登録暗証コードとして記憶部３０に記憶させた後、すぐにはセキュリティロックの状態にせず、他の機能を動作可能な状態としておく。そして、携帯端末１０の上部筐体１１と下部筐体１２が閉じられた時点、つまり、携帯端末１０の使用を止めた時点で、携帯端末１０をセキュリティロックの状態に設定する。
【０１０８】
このように、携帯端末１０をセキュリティロックの状態に設定する時点を変えることにより、ユーザは、登録暗証コードを記憶部３０に記憶させた後であっても、ユーザ所望の機能を携帯端末１０で実行させることが可能となる。
【０１０９】
或いはまた、携帯端末１０をセキュリティロックの状態に設定する時点を、前回、セキュリティロックの状態を解除した時点から一定時間経過後にする、ように変えてもよい。
【０１１０】
このようにすれば、ユーザが意識しなくとも、必ず、携帯端末１０をセキュリティロックの状態に設定することが可能となる。
【０１１１】
以上、本発明の携帯端末の第２の実施形態について説明した。
【０１１２】
本発明の第２の実施形態の携帯端末（携帯端末１０）は、照度センサ（照度センサ２０）と、記憶部（記憶部３０）と、制御部（制御部４０）と、を含んでいる。そして、前記制御部は、前記照度センサの出力値が明状態を示す値から暗状態を示す値に変化した回数を明暗情報としてカウントし、当該カウント値を登録暗証コードとして前記記憶部に記憶させセキュリティロックの状態に設定するようになっている。
【０１１３】
従って、本実施形態によれば、暗証コードの登録と、携帯端末のロック設定の操作を簡略化することが可能となる。
【０１１４】
また、制御部４０は、照度センサ２０から、登録暗証コードに対応する明暗情報と同一の明暗情報が入力された場合に、携帯端末のセキュリティロックの状態を解除するようになっている。
【０１１５】
従って、本実施形態によれば、暗証コードの登録と、携帯端末のロック設定およびロック解除の操作を簡略化することが可能となる。
【０１１６】
さらに、制御部４０は、照度センサ２０から登録暗証コードに対応する明暗情報と異なる明暗情報が入力された場合に、携帯端末が備えるキー操作部（キー操作部６０）から暗証コードを入力させるよう動作する。そして、キー操作部から入力された暗証コードが正しい暗証コードである場合、制御部４０は携帯端末のセキュリティロックの状態を解除するようになっている。
【０１１７】
従って、本実施形態によれば、暗闇等で照度センサによるロック解除ができない状況であっても、携帯端末のロックの解除の操作が可能となる。
【０１１８】
制御部４０は、さらにまた、携帯端末がセキュリティロックの状態に設定された場合は、携帯端末が備える表示部（正面ＬＣＤ５０）にロック用のアイコンを表示し、携帯端末のセキュリティロックの状態が解除された場合は、表示部に表示されているロック用のアイコンを消去する。
【０１１９】
従って、本実施形態によれば、携帯端末がロック設定状態／ロック解除状態にあることを、表示部のロック用のアイコンによって容易に判断することが可能となる。
［第３の実施形態］
次に、本発明による第３の実施形態について説明する。
【０１２０】
本発明の第３の実施形態は、第２の実施形態と比べ、照度センサ２０による暗証コードの生成方法だけが異なっているものである。
【０１２１】
図９は、本発明の携帯端末の第３の実施形態を示すブロック図である。なお、図９において、第２の実施形態で示した図３に示す構成要素に対応するものは同一の参照数字または符号を付し、その説明を極力省略するものとする。
【０１２２】
図９に示す携帯端末１０−３は、図３で示した携帯端末１０と、以下の点でのみ異なっている。すなわち、携帯端末１０−３は、図３で示した携帯端末１０のカウンタ部９０に代えて、暗証コード生成部９２を備える点でのみ異なっている。従って、図９において図３に示す構成要素に対応するものは同一の参照数字または符号を付し、その説明を極力省略するものとする。
【０１２３】
図９に示す携帯端末１０−３は、図１の第１の実施形態で示した携帯端末１と同様の、照度センサ２０、記憶部３０、制御部４０−３を含んでいる。
【０１２４】
また、携帯端末１０−３は、制御部４０−３の制御の元で動作する正面ＬＣＤ５０、正面ＬＣＤバックライト５１、キー操作部６０、キーバックライト６１、無線部７０、マイク８０、レシーバ８１、スピーカ８２、タイマー部９１、暗証コード生成部９２を含んでいる。
【０１２５】
暗証コード生成部９２は、携帯端末１０−３への暗証コードの入力時に、照度センサ２０の状態変化があった場合に、すなわち、照度センサ２０が明状態から暗状態に変化した場合に、状態変化の回数と暗状態の継続時間を明暗情報として計測する。そして、状態変化の回数と暗状態の継続時間に相当する明暗情報に基づいた暗証コードを生成する。
【０１２６】
次に、図１０を参照して、携帯端末１０−３の照度センサ２０を利用した暗証コードの入力動作の概要について説明する。
【０１２７】
図１０は、第３の実施形態における暗証コードの入力動作の概要を示す図である。
【０１２８】
先ず、第２の実施形態と同様に、携帯端末１０−３の照度センサ２０は、携帯端末１０−３の周囲の明るさを検出可能な状態になっているものとする。そして、照度センサ２０上を覆うものが無く、照度センサ２０の出力値が大きい場合を「明状態」と称するものとし、照度センサ２０がユーザの指等で覆われ、照度センサ２０の出力値が小さい場合を「暗状態」と称するものとする。
【０１２９】
図１０の時間ｔ０〜ｔ１の間、照度センサ２０は明状態となっている。
【０１３０】
図１０の時間ｔ１において、照度センサ２０がユーザの指等で覆われ、照度センサ２０は暗状態に変化している。すなわち、時間ｔ１において、照度センサ２０の出力値が明状態から暗状態に変化している。ここで、携帯端末１０−３の暗証コード生成部９２は、暗状態の継続時間の計測を開始する。
【０１３１】
そして、時間ｔ２において、照度センサ２０上のユーザの指等が離され、照度センサ２０は周囲の明るさを再び検出するようになり、明状態へと復帰している。このとき、暗証コード生成部９２は、時間ｔ１〜ｔ２迄の暗状態の継続時間の計測を終え、時間ｔ１〜ｔ２迄の暗状態の継続時間が「１．０秒」であった、と認識したものとする。ここで、暗証コード生成部９２は、継続時間「１．０秒」の小数点以下を四捨五入して「１」を得て、この値を記憶しておく。
【０１３２】
また、次の時間ｔ３においては、照度センサ２０が再びユーザの指等で覆われ、照度センサ２０が再び暗状態に変化している。ここで、暗証コード生成部９２は、２回目の暗状態の継続時間の計測を開始する。
【０１３３】
そして、時間ｔ４において、照度センサ２０上のユーザの指等が離され、照度センサ２０は周囲の明るさを再び検出するようになり、明状態へと復帰している。このとき、暗証コード生成部９２は、時間ｔ３〜ｔ４迄の暗状態の継続時間の計測を終え、時間ｔ３〜ｔ４迄の暗状態の継続時間が「０．４秒」であった、と認識したものとする。ここで、暗証コード生成部９２は、継続時間「０．４秒」の小数点以下を四捨五入して「０」を得て、この値を記憶しておく。
【０１３４】
以下同様にして、時間ｔ６において、時間ｔ５〜ｔ６迄の暗状態の継続時間が「１．１秒」であった、と認識したものとすると、暗証コード生成部９２は、継続時間「１．１秒」の小数点以下を四捨五入して「１」を得て、この値を記憶しておく。
【０１３５】
また、次の、時間ｔ８において、時間ｔ７〜ｔ８迄の暗状態の継続時間が「１．８秒」であった、と認識したものとすると、暗証コード生成部９２は、継続時間「１．８秒」の小数点以下を四捨五入して「２」を得て、この値を記憶しておく。
【０１３６】
そして、時間ｔ８において、照度センサ２０が明状態に復帰した後、明状態が予め定めておいた一定の時間「Ｔ秒」の間、継続した状態となっている。時間ｔ９に示しているように、照度センサ２０の明状態がＴ秒間継続した場合、携帯端末１０−３の制御部４０−３は、暗証コードの入力動作が終了したものと判断する。そして、制御部４０−３は、その時点において、暗証コード生成部９２が記憶している継続時間の四捨五入値、すなわち、「１０１２」を、暗証コードとして決定する。
【０１３７】
以上の動作により、携帯端末１０−３への暗証コードが入力されるようになる。
【０１３８】
なお、図１０の説明においては、４桁の暗証コードを入力する例について説明したが、ここで入力する暗証コードは、４桁に限らず、他の桁数の暗証コードあってもよい。
【０１３９】
以上、携帯端末１０−３の照度センサ２０を利用した暗証コードの入力動作の概要について説明した。
【０１４０】
本実施形態の携帯端末１０−３においても、第２の実施形態の携帯端末１０と同様に、携帯端末１０−３に対して暗証コードを入力して、これを登録暗証コードとして記憶部３０に記憶させ、その後、携帯端末１０−３のセキュリティロックを設定する動作を行う。また、携帯端末１０−３のセキュリティロックを解除する動作も行う。しかしながら、これらの動作は、第２の実施形態で説明したものと同一である。従って、第３の実施形態に関するこれ以上の説明は省略するものとする。
【０１４１】
以上、本発明の携帯端末の第３の実施形態について説明した。
【０１４２】
本発明の第３の実施形態の携帯端末（携帯端末１０−３）は、照度センサ（照度センサ２０）と、記憶部（記憶部３０）と、制御部（制御部４０−３）と、を含んでいる。そして、前記制御部は、前記照度センサの出力値が明状態を示す値から暗状態を示す値に変化した回数と暗状態の継続時間を明暗情報としてカウントし、前記回数と前記継続時間の値に基づいた暗証コードを算出し、当該暗証コードを登録暗証コードとして前記記憶部に記憶させて、セキュリティロックの状態に設定するようになっている。
【０１４３】
従って、本実施形態によれば、暗証コードの登録とロック設定のための操作を簡略化することが可能となる。
【０１４４】
また、複数桁の暗証コードの設定が容易となる効果を有する。なぜなら、照度センサの出力値が明状態を示す値から暗状態を示す値に変化した回数に相当する桁数の暗証コードを発生でき、かつ暗状態の継続時間に応じた暗証コードの値を発生できるからである。
［第４の実施形態］
次に、本発明による第４の実施形態について説明する。
【０１４５】
本発明の第４の実施形態は、第２の実施形態と比べ、照度センサ２０による暗証コードの生成方法だけが異なっているものである。
【０１４６】
図１１は、本発明の携帯端末の第４の実施形態を示すブロック図である。なお、図１１において、第２の実施形態で示した図３に示す構成要素に対応するものは同一の参照数字または符号を付し、その説明を極力省略するものとする。
【０１４７】
図１１に示す携帯端末１０−４は、図３で示した携帯端末１０と、以下の点でのみ異なっている。すなわち、携帯端末１０−４は、図３で示した携帯端末１０のカウンタ部９０に代えて、暗証コード生成部９２−４を備える点でのみ異なっている。従って、図１１において図３に示す構成要素に対応するものは同一の参照数字または符号を付し、その説明を極力省略するものとする。
【０１４８】
図１１に示す携帯端末１０−４は、図１の第１の実施形態で示した携帯端末１と同様の、照度センサ２０、記憶部３０、制御部４０−４を含んでいる。
【０１４９】
また、携帯端末１０−４は、制御部４０−４の制御の元で動作する正面ＬＣＤ５０、正面ＬＣＤバックライト５１、キー操作部６０、キーバックライト６１、無線部７０、マイク８０、レシーバ８１、スピーカ８２、タイマー部９１、暗証コード生成部９２−４を含んでいる。
【０１５０】
暗証コード生成部９２−４は、携帯端末１０−４への暗証コードの入力時に、照度センサ２０の状態変化があり、照度センサ２０が暗状態から明状態に変化した場合、暗状態の継続時間と明状態の継続時間を明暗情報として計測する。そして、暗状態の継続時間と明状態の継続時間の大小比較を行い、大小比較の結果に基づいた暗証コードを生成する。
【０１５１】
次に、図１２を参照して、携帯端末１０−４の照度センサ２０を利用した暗証コードの入力動作の概要について説明する。
【０１５２】
図１２は、第４の実施形態における暗証コードの入力動作の概要を示す図である。
【０１５３】
先ず、第２の実施形態と同様に、携帯端末１０−４の照度センサ２０は、携帯端末１０−４の周囲の明るさを検出可能な状態になっているものとする。そして、照度センサ２０上を覆うものが無く、照度センサ２０の出力値が大きい場合を「明状態」と称するものとし、照度センサ２０がユーザの指等で覆われ、照度センサ２０の出力値が小さい場合を「暗状態」と称するものとする。
【０１５４】
図１２の時間ｔ０〜ｔ１の間、照度センサ２０は明状態となっている。
【０１５５】
次に、図１２の時間ｔ１において、照度センサ２０がユーザの指等で覆われ、照度センサ２０は暗状態に変化している。すなわち、時間ｔ１において、照度センサ２０の出力値が明状態から暗状態に変化している。ここで、携帯端末１０−４の暗証コード生成部９２−４は、暗状態の継続時間の計測を開始する。
【０１５６】
そして、時間ｔ２において、照度センサ２０上のユーザの指等が離され、照度センサ２０は周囲の明るさを再び検出するようになり、明状態へと復帰している。このとき、暗証コード生成部９２−４は、時間ｔ１〜ｔ２迄の暗状態の継続時間の計測を終え、時間ｔ１〜ｔ２迄の暗状態の継続時間が「１．０秒」であった、と認識したものとする。ここで、暗証コード生成部９２−４は、暗状態の継続時間「１．０秒」の値を記憶しておく。また、暗証コード生成部９２−４は、時間ｔ２からの明状態の継続時間の計測を開始する。
【０１５７】
次に、時間ｔ３において、照度センサ２０がユーザの指等で覆われ、照度センサ２０は暗状態に変化している。すなわち、時間ｔ３において、照度センサ２０の出力値が明状態から暗状態に変化している。ここで、携帯端末１０−４の暗証コード生成部９２−４は、時間ｔ２〜ｔ３迄の明状態の継続時間の計測を終え、時間ｔ２〜ｔ３迄の明状態の継続時間が「１．０秒」であったと認識したものとする。ここで、暗証コード生成部９２−４は、明状態の継続時間「１．０秒」の値を記憶しておく。
【０１５８】
この時点で、時間ｔ１〜ｔ２迄の暗状態の継続時間「１．０秒」と、時間ｔ２〜ｔ３迄の明状態の継続時間「１．０秒」の両者が暗証コード生成部９２−４に記憶されていることとなる。
【０１５９】
そこで、暗証コード生成部９２−４は、以下の式に基づいて、両継続時間の大小比較を行い、継続時間の大小比較値として、「１」または「０」の何れかの値を得る。
【０１６０】
すなわち、
暗状態の継続時間  ＞＝  明状態の継続時間  であれば  「１」を得、  …（１）
暗状態の継続時間  ＜    明状態の継続時間  であれば  「０」を得る。…（２）
図１２の時間ｔ１〜ｔ２における暗状態の継続時間は「１．０秒」であり、時間ｔ２〜ｔ３における明状態の継続時間は「１．０秒」である。従って、上記の（１）式に該当するため、継続時間の大小比較値として、「１」が得られる。暗証コード生成部９２−４は、ここで得た継続時間の大小比較値を記憶しておく。
【０１６１】
同様にして、暗証コード生成部９２−４は、時間ｔ３〜ｔ４迄の暗状態の継続時間として「０．４秒」を認識し、時間ｔ４〜ｔ５迄の明状態の継続時間として「０．８秒」を認識したものとする。ここで、暗証コード生成部９２−４は、両継続時間の大小比較を行う。この時点において、時間ｔ３〜ｔ４迄の暗状態の継続時間は「０．４秒」であり、時間ｔ４〜ｔ５迄の明状態の継続時間は「０．８秒」であるため、上記（２）式に該当する。従って、暗証コード生成部９２−４は、継続時間の大小比較値として「０」を得、この値を記憶しておく。
【０１６２】
また同様に、暗証コード生成部９２−４は、時間ｔ５〜ｔ６迄の暗状態の継続時間として「１．１秒」を認識し、時間ｔ６〜ｔ７迄の明状態の継続時間として「０．７秒」を認識したものとする。ここで、暗証コード生成部９２−４は、両継続時間の大小比較を行う。この時点において、時間ｔ５〜ｔ６迄の暗状態の継続時間は「１．１秒」であり、時間ｔ６〜ｔ７迄の明状態の継続時間は「０．７秒」であるため、上記（１）式に該当する。従って、暗証コード生成部９２−４は、継続時間の大小比較値として「１」を得、この値を記憶しておく。
【０１６３】
さらに同様にして、暗証コード生成部９２−４は、時間ｔ７〜ｔ８の暗状態の継続時間「１．８秒」と、時間ｔ８〜ｔ９の明状態の継続時間「０．８秒」に基づいて、両継続時間の大小比較を行い、その結果、継続時間の大小比較値として「１」を得る。
【０１６４】
そして、時間ｔ１０において、照度センサ２０が明状態に復帰した後、明状態が予め定めておいた一定の時間「Ｔ秒」の間、継続した状態となっている。時間ｔ１１に示しているように、照度センサ２０の明状態がＴ秒間継続した場合、携帯端末１０−４の制御部４０−４は、暗証コードの入力動作が終了したものと判断する。そして、制御部４０−４は、その時点において、暗証コード生成部９２−４が記憶している継続時間の大小比較値、すなわち、「１０１１」を、暗証コードとして決定する。
【０１６５】
以上の動作により、携帯端末１０−４への暗証コードが入力されるようになる。
【０１６６】
なお、図１２の説明においては、４桁の暗証コードを入力する例について説明したが、ここで入力する暗証コードは、４桁に限らず、他の桁数の暗証コードあってもよい。
【０１６７】
以上、携帯端末１０−４の照度センサ２０を利用した暗証コードの入力動作の概要について説明した。
【０１６８】
本実施形態の携帯端末１０−４においても、第２の実施形態の携帯端末１０と同様に、携帯端末１０−４に対して暗証コードを入力して、これを登録暗証コードとして記憶部３０に記憶させ、その後、携帯端末１０−４のセキュリティロックを設定する動作を行う。また、携帯端末１０−４のセキュリティロックを解除する動作も行う。しかしながら、これらの動作は、第２の実施形態で説明したものと同一である。従って、第４の実施形態に関するこれ以上の説明は省略するものとする。
【０１６９】
以上、本発明の携帯端末の第４の実施形態について説明した。
【０１７０】
本発明の第４の実施形態の携帯端末（携帯端末１０−４）は、照度センサ（照度センサ２０）と、記憶部（記憶部３０）と、制御部（制御部４０−４）と、を含んでいる。そして、前記制御部は、前記照度センサの出力値が暗状態を示す値から明状態を示す値に変化した場合、暗状態の継続時間と明状態の継続時間を計測する。そして、暗状態の継続時間と明状態の継続時間の大小比較を行い、大小比較の結果に基づいた暗証コードを算出し、当該暗証コードを登録暗証コードとして前記記憶部に記憶させセキュリティロックの状態に設定するようになっている。
【０１７１】
従って、本実施形態によれば、暗証コードの登録とセキュリティ状態への設定のための操作を簡略化することが可能となる。
【図面の簡単な説明】
【０１７２】
【図１】本発明の携帯端末の第１の実施形態を示すブロック図である。
【図２】本発明の第２の実施形態の携帯端末の外観図である。
【図３】本発明の携帯端末の第２の実施形態を示すブロック図である。
【図４】第２の実施形態における暗証コードの入力動作の概要を示す図である。
【図５】本発明の携帯端末の第２の実施形態の動作を示す第１のフローチャートである。
【図６】本発明の携帯端末の第２の実施形態の動作を示す第２のフローチャートである。
【図７】本発明の携帯端末の第２の実施形態の動作を示す第３のフローチャートである。
【図８】図７に示す第２の実施形態の動作中における一部のステップの詳細な動作を示すフローチャートである。
【図９】本発明の携帯端末の第３の実施形態を示すブロック図である。
【図１０】第３の実施形態における暗証コードの入力動作の概要を示す図である。
【図１１】本発明の携帯端末の第４の実施形態を示すブロック図である。
【図１２】第４の実施形態における暗証コードの入力動作の概要を示す図である。
【符号の説明】
【０１７３】
１    携帯端末
２    照度センサ
３    記憶部
４    制御部
１０    携帯端末
１１    上部筐体
１２    下部筐体
２０    照度センサ
３０    記憶部
４０    制御部
５０    正面ＬＣＤ
５１    正面ＬＣＤバックライト
６０    キー操作部
６１    キーバックライト
７０    無線部
８０    マイク
８１    レシーバ
８２    スピーカ
９０    カウンタ部
９１    タイマー部
９２    暗証コード生成部
【図１】
2010010750.tif 000003
【図２】
2010010750.tif 000004
【図３】
2010010750.tif 000005
【図４】
2010010750.tif 000006
【図５】
2010010750.tif 000007
【図６】
2010010750.tif 000008
【図７】
2010010750.tif 000009
【図８】
2010010750.tif 000010
【図９】
2010010750.tif 000011
【図１０】
2010010750.tif 000012
【図１１】
2010010750.tif 000013
【図１２】
2010010750.tif 000014